(57)【要約】【課題】光学的遮光装置により重畳領域の明るさ調整を行った場合に重畳領域に現れる色味を容易に抑制可能とする。【解決手段】第１の画像を投写面に投写する第１のプロジェクターＰＪ１と、第１の画像と隣接するように、かつ第１の画像と一部が重畳して重畳領域を形成するように第２の画像を投写面に投写する第２のプロジェクターＰＪと、前記重畳領域の明るさを調整するために前記第１の画像及び前記第２の画像に対応する画像光の一部を遮光する光学的遮光装置としての遮光板Ｓ１，Ｓ２とを有し、遮光板Ｓ１，Ｓ２によって画像光の一部が遮光されたことによって第１の画像及び第２の画像にそれぞれ現れる色味が、重畳領域において同系色となるように、第１のプロジェクターＰＪ１及び第２のプロジェクターＰＪ２の設置姿勢が設定されている。【選択図】図１
2011217303.tif 000002
【特許請求の範囲】
【請求項１】
第１の画像を投写面に投写する第１のプロジェクターと、
前記第１の画像と隣接するように、かつ前記第１の画像と一部が重畳して重畳領域を形成するように第２の画像を前記投写面に投写する第２のプロジェクターと、
前記重畳領域の明るさを調整するために前記第１の画像及び前記第２の画像に対応する画像光の一部を遮光する光学的遮光装置とを有し、
前記光学的遮光装置によって前記画像光の一部が遮光されたことによって前記第１の画像及び前記第２の画像にそれぞれ現れる色味が、前記重畳領域において同系色となるように、前記第１のプロジェクター及び前記第２のプロジェクターの設置姿勢が設定されていることを特徴とするマルチプロジェクションシステム。
【請求項２】
請求項１に記載のマルチプロジェクションシステムにおいて、
前記第１のプロジェクター及び前記第２のプロジェクターを含み、全体画像を構成する複数の部分画像をそれぞれ投写する複数のプロジェクターを有し、
前記第１のプロジェクター及び前記第２のプロジェクターは、前記複数の部分画像のうち前記投写面上で水平方向に隣接する部分画像を投写することを特徴とするマルチプロジェクションシステム。
【請求項３】
請求項２に記載のマルチプロジェクションシステムにおいて、
前記第１のプロジェクターは、底面が重力方向の向きとなる設置姿勢となるように設置され、
前記第２のプロジェクターは、底面が反重力方向の向きとなる設置姿勢となるように設置されることを特徴とするマルチプロジェクションシステム。
【請求項４】
請求項１〜３のいずれかに記載のマルチプロジェクションシステムにおいて、
前記第１の画像及び前記第２の画像のそれぞれに、第１の色味及び前記第１の色味とは異なる第２の色味が現れることを特徴とするマルチプロジェクションシステム。
【請求項５】
請求項４に記載のマルチプロジェクションシステムにおいて、
前記第１の色味及び第２の色味を抑制するための色補正処理を行う画像補正部をさらに有することを特徴とするマルチプロジェクションシステム。
【請求項６】
請求項４に記載のマルチプロジェクションシステムにおいて、
前記光学的遮光装置は、前記第１の色味又は第２の色味の透過を抑制する機能を有することを特徴とするマルチプロジェクションシステム。
【請求項７】
請求項４〜６のいずれかに記載のマルチプロジェクションシステムにおいて、
前記第１の色味が赤系の色であり、前記第２の色味が青系の色であることを特徴とするマルチプロジェクションシステム。
【請求項８】
第１の画像を投写面に投写する第１のプロジェクターと、前記第１の画像と隣接するように、かつ前記第１の画像と一部が重畳して重畳領域を形成するように第２の画像を前記投写面に投写する第２のプロジェクターと、前記重畳領域の明るさを調整するために前記第１の画像及び前記第２の画像に対応する画像光の一部を遮光する光学的遮光装置とを有するマルチプロジェクションシステムにおけるプロジェクターの設置方法であって、
前記光学的遮光装置によって前記画像光が遮光されたことによって前記第１の画像及び前記第２の画像にそれぞれ現れる色味が、前記重畳領域において同系色の色味となるように、前記第１のプロジェクター及び前記第２のプロジェクターの設置姿勢を設定することを特徴とするマルチプロジェクションシステムにおけるプロジェクターの設置方法。
【発明の詳細な説明】
【技術分野】
【０００１】
本発明は、マルチプロジェクションシステム及びマルチプロジェクションシステムにおけるプロジェクター設置方法に関する。
【背景技術】
【０００２】
複数のプロジェクターから投写される部分画像を投写面であるスクリーン上で並べて１つの全体画像を形成することにより、１台のプロジェクターでは実現できない高解像度、高輝度な画像を生成することができるマルチプロジェクションシステムが知られている。このようなマルチプロジェクションシステムにおいては、隣接する部分画像に重畳領域が形成されるように各部分画像をスクリーンに投写することで、部分画像の境界を目立たなくすることが行われている。
【０００３】
図８は、部分画像Ｇ１，Ｇ２をスクリーンＳＣＲ上において重畳領域Ａが形成されるように表示するマルチプロジェクションシステムの構成を示す図である。図８に示すマルチプロジェクションシステムにおいては、プロジェクターＰＪ１から投写される部分画像Ｇ１とプロジェクターＰＪ２から投写される部分画像Ｇ２との間に重畳領域Ａが形成されている。
【０００４】
図９は、図８に示した部分画像Ｇ１，Ｇ２のスクリーンＳＣＲ上での明るさを示す図である。図９に示すように、重畳領域Ａ（灰色で示す）が他の領域よりも明るくなるため、重畳領域Ａの存在が容易に視認されてしまう。これを解消するために、重畳領域Ａの明るさと他の領域の明るさとが同等となるようにエッジブレンディングと呼ばれる技術が採用される。
【０００５】
エッジブレンディング技術の代表的な手法としては、光学的遮光装置としての遮光板を用いて重畳領域の明るさの調整を行う技術がある（例えば、特許文献１参照）。
特許文献１に記載された技術（以下、従来技術という）は、プロジェクターから投写される投写画像の光路上に遮光板を設置して重畳領域の明るさ調整を行うものである。
【先行技術文献】
【特許文献】
【０００６】
【特許文献１】特開平５−１０３２８６号公報
【発明の概要】
【発明が解決しようとする課題】
【０００７】
図１０は、遮光板により重畳領域の明るさ調整がなされている場合のスクリーンＳＣＲ上における部分画像Ｇ１，Ｇ２の明るさを示す図である。図１０に示すように、遮光板Ｓ１，Ｓ２がプロジェクターＰＪ１，ＰＪ２の光路に対して適切な位置に設置されていれば、スクリーンＳＣＲにおける部分画像の明るさを全体的に同等とすることができる。
【０００８】
しかし、遮光板Ｓ１，Ｓ２により重畳領域の明るさ調整を行うと、重畳領域Ａに不要な色味（以下では単に色味という）が現れることがある。特に、波長の関係から青味又は赤味として現れることが多い。
【０００９】
図１１は、遮光板により重畳領域の明るさ調整を行った場合に重畳領域Ａに現れる色味について説明する図である。図１１は、１台のプロジェクター（プロジェクターＰＪ１とする）の場合について説明する。
【００１０】
図１１に示すように、プロジェクターＰＪ１から投写される部分画像Ｇ１の左右両端側に所定の遮光領域Ｌ，Ｒが設定されるように遮光板（遮光板Ｓ０，Ｓ１とする）を設置したとすると、例えば、部分画像Ｇ１の左側の遮光領域Ｌには青味が現れ、右側の遮光領域Ｒには赤味が現れる。
【００１１】
なお、図１１においては、部分画像Ｇ１の左側の遮光領域Ｌには青味が現れ、右側の遮光領域Ｒには赤味が現れる場合を例示したが、青味及び赤味が部分画像Ｇ１の左右のどちらの側に現れるかは、プロジェクターを同じ設置姿勢で設置した場合においては、プロジェクターの機種によって同じとなる。このため、プロジェクターＰＪ１，ＰＪ２が同機種であって、かつ、プロジェクターＰＪ１，ＰＪ２を同じ設置姿勢で使用したとすれば、左右の同じ側に同じ色味が現れる。
【００１２】
図１２は、部分画像Ｇ１の水平方向の位置における明るさの変化の一例を示す図である。図１２（ａ）は、図１１に示した部分画像Ｇ１の左側の遮光領域Ｌにおける明るさの変化を説明する図であり、図１２（ｂ）は、図１１に示した部分画像Ｇ１の右側の遮光領域Ｒにおける明るさの変化を説明する図である。部分画像Ｇ１をスクリーンＳＣＲ上に投写した場合、遮光板Ｓ１，Ｓ２で遮光された結果、部分画像Ｇ１の遮光領域Ｌ，Ｒにおいてホワイトバランスが変化して、図１２（ａ）及び図１２（ｂ）に示すように、遮光領域Ｌ，Ｒにおける水平方向の位置の明るさの変化が、赤色（Ｒ）、緑色（Ｇ）及び青色（Ｂ）の各色成分ごとに異なる。
【００１３】
このような現象は、ダイクロイックミラー、クロスダイクロイックプリズムや液晶パネルなどの光学部品の調整誤差や、光変調素子の透過率に入射角依存性があるといった種々の要因に起因するものと考えられている。
【００１４】
図１３は、部分画像Ｇ１の遮光領域Ｒに現れる色味と部分画像Ｇ２の遮光領域Ｌに現れる色味について説明する図である。なお、図１３においては、部分画像Ｇ１，Ｇ２は重畳されていない状態が示されている。
【００１５】
図１３に示すように、プロジェクターＰＪ１，ＰＪ２の光路の一部に遮光板Ｓ１，Ｓ２を設置して、プロジェクターＰＪ１，ＰＪ２から部分画像Ｇ１，Ｇ２としての白画像を投写すると、プロジェクターＰＪ１の遮光領域Ｒ及びプロジェクターＰＪ２の遮光領域Ｌには、それぞれ異なる色味が現れることがある。図１３においては、部分画像Ｇ１の遮光領域Ｒには赤味が現れ、部分画像Ｇ２の遮光領域Ｌには青味が現れた場合が例示されている。
【００１６】
図１４は、図１３に示した部分画像Ｇ１，Ｇ２の遮光領域Ｒ，Ｌを重畳させて重畳領域Ａを形成した状態を示す図である。この場合、プロジェクターＰＪ１，ＰＪ２の各部分画像Ｇ１，Ｇ２における重畳領域Ａの明るさが他の領域の明るさと同等になるように遮光板Ｓ１，Ｓ２によって光量が調整されていたとしても、プロジェクターＰＪ１，ＰＪ２それぞれが発生源となって現れる色味（赤味及び青味）により、色むらが発生してしまう。この場合、重畳領域Ａは青味と赤味との両方が混在する色となる。
【００１７】
すなわち、図１３及び図１４においては、プロジェクターＰＪ１，ＰＪ２は同じ機種のプロジェクターであって、かつ、同じ設置姿勢で使用した場合であるとする。このような場合、部分画像Ｇ１，Ｇ２において、それぞれの左右両側には同じ色味が現れるため、部分画像Ｇ１の右側の遮光領域Ｒと部分画像Ｇ２の左側の遮光領域Ｌとを重畳させると、重畳領域Ａにおいては、赤味及び青味が混在して現れることとなる。
このように、重畳領域Ａに異なる色が混在する色むらが発生した場合、その色むらを補正する処理は単一な色による色むらを補正する場合に比べて複雑なものとなる。
【００１８】
そこで本発明は、光学的遮光装置により重畳領域の明るさ調整を行う際に、重畳領域に現れる色味を抑制するための色補正を容易に行うことができるマルチプロジェクションシステム及びマルチプロジェクションシステムにおけるプロジェクター設置方法を提供することを目的とする。
【課題を解決するための手段】
【００１９】
本発明のマルチプロジェクションシステムは、第１の画像を投写面に投写する第１のプロジェクターと、前記第１の画像と隣接するように、かつ前記第１の画像と一部が重畳して重畳領域を形成するように第２の画像を前記投写面に投写する第２のプロジェクターと、前記重畳領域の明るさを調整するために前記第１の画像及び前記第２の画像に対応する画像光の一部を遮光する光学的遮光装置とを有し、前記光学的遮光装置によって前記画像光の一部が遮光されたことによって前記第１の画像及び前記第２の画像にそれぞれ現れる色味が、前記重畳領域において同系色となるように、前記第１のプロジェクター及び前記第２のプロジェクターの設置姿勢が設定されていることを特徴とする。
【００２０】
本発明のマルチプロジェクションシステムによれば、重畳領域に現れる色味を重畳領域において同系色とすることができるため、重畳領域に現れる色味を抑制するための色補正を容易に行うことができる。
【００２１】
本発明のマルチプロジェクションシステムにおいては、前記第１のプロジェクター及び前記第２のプロジェクターを含み、全体画像を構成する複数の部分画像をそれぞれ投写する複数のプロジェクターを有し、前記第１のプロジェクター及び前記第２のプロジェクターは、前記複数の部分画像のうち前記投写面上で水平方向に隣接する部分画像を投写することが好ましい。
【００２２】
重畳領域に対応する領域を光学的遮光装置によって遮光したときに現れる色味は、重畳領域に対応する領域すなわち部分画像の主に左右方向の端部側に主に現れる現象である。このため、水平方向に隣接する部分画像を投写する第１のプロジェクター及び第２のプロジェクターの設置姿勢を所定の設置姿勢とすることによって、重畳領域に現れる色味を重畳領域において同系色とすることができる。
【００２３】
本発明のマルチプロジェクションシステムにおいては、前記第１のプロジェクターは、底面が重力方向の向きとなる設置姿勢となるように設置され、前記第２のプロジェクターは、底面が反重力方向の向きとなる設置姿勢となるように設置されることが好ましい。
【００２４】
第１のプロジェクターと第２のプロジェクターとがこのような設置姿勢で設置されることにより、重畳領域に現れる色味を同系色とすることができる。すなわち、第１のプロジェクターと第２のプロジェクターとを同じ設置姿勢としてそれぞれの部分画像を投写すると、重畳領域において、第１のプロジェクターがある色味の発生源となった場合、第２のプロジェクターは他の色味の発生源となるが、第１のプロジェクターの設置姿勢を例えば当該プロジェクターの底面が重力方向の向きとなる設置姿勢とし、第２のプロジェクターの設置姿勢を例えば当該プロジェクターの底面が反重力方向の向きとなる設置姿勢とすることによって、隣接する部分画像に形成される重畳領域に現れる色味を同系色とすることができる。
【００２５】
本発明のマルチプロジェクションシステムにおいては、前記第１の画像及び前記第２の画像のそれぞれに、第１の色味及び前記第１の色味とは異なる第２の色味が現れるとする。
このように、第１の画像及び第２の画像のそれぞれには、それぞれ異なった２つの色味が現れる。
【００２６】
本発明のマルチプロジェクションシステムにおいては、前記第１の色味及び第２の色味を抑制するための色補正処理を行う画像補正部をさらに有することが好ましい。
【００２７】
これは、重畳領域に現れる色味（第１の色味及び第２の色味）の抑制を画像処理によって行うものであり、色味の抑制を画像処理によって行う場合、本発明によれば、重畳領域において現れる色味が同系色の色味となるため、色味を抑制するための色補正を容易に行うことができる。
【００２８】
本発明のマルチプロジェクションシステムにおいては、前記光学的遮光装置は、前記第１の色味又は第２の色味の透過を抑制する機能を有するものであってもよい。
【００２９】
これは、光学的遮光装置が特定の色の透過を抑制するようなフィルタ機能を有するものであり、このような光学的遮光装置を用いることによっても、重畳領域において現れる色味を抑制することができる。すなわち、本発明においては、重畳領域において現れる色味を同系色の色味としているので、例えば、重畳領域において現れる色味が赤色の色味であるとすれば、光学的遮光装置が赤色の透過を抑制するようなフィルタ機能を有するものを用いる。
【００３０】
本発明のマルチプロジェクションシステムにおいては、前記第１の色味が赤系の色であり、前記第２の色味が青系の色であるとする。
【００３１】
このように、重畳領域に現れる色味が青系の色及び赤系の色となるのは、色の波長の違いによるものであり、赤色、緑色及び青のうちの赤色及び青色が、重畳領域において色味として現れやすい。
【００３２】
本発明のマルチプロジェクションシステムにおけるプロジェクターの設置方法は、第１の画像を投写面に投写する第１のプロジェクターと、前記第１の画像と隣接するように、かつ前記第１の画像と一部が重畳して重畳領域を形成するように第２の画像を前記投写面に投写する第２のプロジェクターと、前記重畳領域の明るさを調整するために前記第１の画像及び前記第２の画像に対応する画像光の一部を遮光する光学的遮光装置とを有するマルチプロジェクションシステムにおけるプロジェクターの設置方法であって、前記光学的遮光装置によって前記画像光が遮光されたことによって前記第１の画像及び前記第２の画像にそれぞれ現れる色味が、前記重畳領域において同系色の色味となるように、前記第１のプロジェクター及び前記第２のプロジェクターの設置姿勢を設定することを特徴とする。
【００３３】
本発明のマルチプロジェクションシステムにおけるプロジェクターの設置方法によれば、重畳領域に現れる色味を重畳領域において同系色の色味とすることができる。このように、重畳領域に現れる色味を重畳領域において同系色とすることによって、重畳領域に現れる色味を抑制すための色補正を容易に行うことができる。なお、本発明のマルチプロジェクションシステムにおけるプロジェクターの設置方法においても、前記発明のマルチプロジェクションシステムが有する各特徴を有することが好ましい。
【図面の簡単な説明】
【００３４】
【図１】実施形態１に係るマルチプロジェクションシステム１０の構成を示す図。
【図２】画像処理装置２００の構成を示す図。
【図３】第１のプロジェクターＰＪ１及び第２のプロジェクターＰＪ２の構成の概要を示す図。
【図４】第１のプロジェクターＰＪ１及び第２のプロジェクターＰＪ２に生じる色味について説明する図。
【図５】図４に示した部分画像Ｇ１の遮光領域Ｒと部分画像Ｇ２の遮光領域Ｌとを重畳させることによって重畳領域Ａを形成した状態を示す図。
【図６】実施形態２に係るマルチプロジェクションシステム２０の構成を説明する図。
【図７】図６に示した部分画像Ｇ１〜Ｇ３をスクリーンＳＣＲ上において重畳領域Ａ，Ｂが形成されるように表示した状態を示す図。
【図８】部分画像Ｇ１，Ｇ２をスクリーンＳＣＲ上において重畳領域Ａが形成されるように表示するマルチプロジェクションシステムの構成を示す図。
【図９】図８に示した部分画像Ｇ１，Ｇ２のスクリーンＳＣＲ上での明るさを示す図。
【図１０】遮光板により重畳領域の明るさ調整がなされている場合のスクリーンＳＣＲ上における部分画像Ｇ１，Ｇ２の明るさを示す図。
【図１１】遮光板により重畳領域の明るさ調整を行った場合に重畳領域Ａに現れる色味について説明する図。
【図１２】部分画像Ｇ１の水平方向の位置における明るさの変化の一例を示す図。
【図１３】部分画像Ｇ１の遮光領域Ｒに現れる色味と部分画像Ｇ２の遮光領域Ｌに現れる色味について説明する図。
【図１４】図１３に示した部分画像Ｇ１，Ｇ２の遮光領域Ｒ，Ｌを重畳させて重畳領域Ａを形成した状態を示す図。
【発明を実施するための形態】
【００３５】
以下、本発明の実施形態について説明する。
【００３６】
［実施形態１］
図１は、実施形態１に係るマルチプロジェクションシステム１０の構成を示す図である。実施形態１に係るマルチプロジェクションシステム１０は、図１に示すように、第１のプロジェクターＰＪ１と、第２のプロジェクターＰＪ２と、光学的遮光装置としての遮光板Ｓ１，Ｓ２と、撮像装置１００と、画像処理装置２００とを有する。
【００３７】
第１のプロジェクターＰＪ１は、スクリーンＳＣＲ上に部分画像Ｇ１（第１の画像）を投写する。第２のプロジェクターＰＪ２は、スクリーンＳＣＲ上に部分画像Ｇ２（第２の画像）を投写する。第２のプロジェクターＰＪ２は、部分画像Ｇ１と隣接するように、かつ部分画像Ｇ１と一部が重畳して重畳領域Ａを形成するように部分画像Ｇ２をスクリーンＳＣＲに投写する。部分画像Ｇ１，Ｇ２は、スクリーンＳＣＲ上において水平方向に並んだ状態で表示され、部分画像Ｇ１，Ｇ２の継ぎ目が目立たなくするように重畳領域Ａが形成される。
【００３８】
なお、第１のプロジェクターＰＪ１及び第２のプロジェクターＰＪ２は、同機種のプロジェクターであるとする。また、第１のプロジェクター及び第２のプロジェクターは、互いに設置姿勢が異なる。すなわち、プロジェクターＰＪ１を第１設置姿勢によって設置する場合には、第２のプロジェクターＰＪ２は第１設置姿勢と異なる第２設置姿勢によって設置する。
【００３９】
ここで、第１設置姿勢というのは、プロジェクターをテーブルなどにそのまま据え置いた通常の設置姿勢である。この場合の通常の設置姿勢というのは、プロジェクターの底面（脚部ａが存在する側の面）が重力方向の向きとなる設置姿勢であるとする。なお、重力方向というのは、図１において第１のプロジェクターＰＪ１及び第２のプロジェクターＰＪ２のみで見た場合、紙面の表面から裏面に向かう方向であるとする。また、第２設置姿勢というのは、第１設置姿勢を重力方向に沿った上下方向において上下を逆転させた姿勢、すなわち、プロジェクターの底面（脚部ａが存在する側の面）が反重力方向の向きとなる設置姿勢であり、具体的には、プロジェクターを天井などから吊るした状態で使用する場合の設置姿勢であるとする。
【００４０】
以下では、第１設置姿勢を「通常姿勢」といい、第２設置姿勢を「天吊姿勢」という。但し、天吊姿勢というのは、天井から吊るした状態で用いる場合のみを意味するものではなく、テーブルなどに設置して用いる場合を含むものである。テーブルに設置する場合には、当該プロジェクターの底面が反重力方向の向きとなるようにテーブル上に設置するものとする。
【００４１】
なお、実施形態１に係るマルチプロジェクションシステム１０においては、第１のプロジェクターＰＪ１は通常姿勢で使用し、第２のプロジェクターＰＪ２は天吊姿勢で使用するものとする。
【００４２】
遮光板Ｓ１は、重畳領域Ａの明るさを調整するために部分画像Ｇ１に対応する画像光の一部を遮光する。また遮光板Ｓ２は、重畳領域Ａの明るさを調整するために部分画像Ｇ２に対応する画像光の一部を遮光する。
【００４３】
撮像装置１００は、スクリーンＳＣＲ上に表示された画像（部分画像Ｇ１，Ｇ２）を撮像して撮像画像データを生成し、撮像画像データを画像処理装置２００に出力する。
画像処理装置２００は、撮像画像データに基づいて補正パラメータを生成する機能と、第１のプロジェクターＰＪ１が投写する部分画像Ｇ１に対応する部分画像データ及び第２のプロジェクターＰＪ２が投写する部分画像Ｇ２に対応する部分画像データを生成する機能と、補正パラメータに基づいて画像補正を行う機能と、部分画像データを対応するプロジェクターに送信する機能とを有している。
【００４４】
図２は、画像処理装置２００の構成を示す図である。画像処理装置２００は、図２に示すように、部分画像データ生成部１１０と、補正パラメータ生成部１２０と、画像補正部１３０と、画像データ送信部１４０とを有している。
【００４５】
部分画像データ生成部１１０は、スクリーンＳＣＲ上において表示される全体画像に対応する画像データから第１のプロジェクターＰＪ１が投写すべき部分画像Ｇ１に対応する部分画像データ及び第２のプロジェクターＰＪ２が投写すべき部分画像Ｇ２に対応する部分画像データを生成する機能を有する。
【００４６】
補正パラメータ生成部１２０は、撮像装置１００から出力される撮像画像データに基づいて色補正パラメータなどの各種の補正パラメータを生成する機能を有する。画像補正部１３０は、補正パラメータ生成部１２０によって生成された補正パラメータに基づいて色補正など各種の画像補正を実行する機能を有する。
【００４７】
画像データ送信部１４０は、画像補正部１３０によって画像補正が施された部分画像データをそれぞれ対応するプロジェクター（第１のプロジェクターＰＪ１及び第２のプロジェクターＰＪ２）に送信する機能を有する。
【００４８】
図３は、第１のプロジェクターＰＪ１及び第２のプロジェクターＰＪ２の構成の概要を示す図である。プロジェクターＰＪ１，ＰＪ２は同様の構成を有しているので、図３においては、第１のプロジェクターＰＪ１の構成について説明する。
【００４９】
第１のプロジェクターＰＪ１は、Ｒ（赤色）、Ｇ（緑色）及びＢ（青色）の各色成分ごとに光変調素子（液晶パネルとする）が設けられている、いわゆる３板式の液晶プロジェクターである。第１のプロジェクターＰＪ１は、図３に示すように、光源装置５１０と、画像形成ユニット５２０と、投写光学系５４０とを有する。
【００５０】
光源装置５１０は、光源５１１と、一対のレンズアレイ５１２と、重畳レンズ５１３とを有する。画像形成ユニット５２０は、ダイクロイックミラー５２１，５２２、反射ミラー５２３，５２４，５２５、リレーレンズ５２６，５２７、液晶パネル５２８Ｒ，５２８Ｇ，５２８Ｂ、クロスダイクロイックプリズム５２９を有する。
【００５１】
ダイクロイックミラー５２１は、光源装置５１０からの光を、赤色光（Ｒ）と緑色光（Ｇ）及び青色光（Ｂ）とに分離する。ダイクロイックミラー５２１によって分離された赤色光は、反射ミラー５２３によって反射されて液晶パネル５２８Ｒに導かれる。
【００５２】
また、ダイクロイックミラー５２１によって分離された緑色光及び青色光は、ダイクロイックミラー５２２によって緑色光と青色光とに分離される。ダイクロイックミラー５２２によって分離された緑色光は、液晶パネル５２８Ｇに入射される。また、ダイクロイックミラー５２２によって分離された青色光は、リレーレンズ５２６を介して反射ミラー５２４によって反射され、さらに、リレーレンズ５２７を介して反射ミラー５２５に反射されて液晶パネル５２８Ｂに導かれる。
【００５３】
液晶パネル５２８Ｒは、赤色光を部分画像データに基づいて変調する。液晶パネル５２８Ｇは、緑色光を部分画像データに基づいて変調する。液晶パネル５２８Ｂは、青色光を部分画像データに基づいて変調する。これらの液晶パネル５２８Ｒ，５２８Ｇ，５２８Ｂによって変調された各色光は、クロスダイクロイックプリズム５２９によって合成される。
【００５４】
投写光学系５４０は、クロスダイクロイックプリズム５２９によって合成された光により形成される画像光を拡大してスクリーンＳＣＲ（図１参照）上で結像する。
図３においては、第１のプロジェクターＰＪ１について説明したが、第２のプロジェクターＰＪ２も同様の構成を有するものとする。
【００５５】
実施形態１に係るマルチプロジェクションシステム１０においては、図３に示すような第１のプロジェクターＰＪ１及び第２のプロジェクターＰＪ２を、互いに異なった設置姿勢で設置する。すなわち、第１のプロジェクターＰＪ１は通常姿勢で設置されており、第２のプロジェクターＰＪ２は天吊姿勢で設置されている。これにより、重畳領域Ａにおいて生じる色味を同系色の色味とすることができる。
【００５６】
図４は、第１のプロジェクターＰＪ１及び第２のプロジェクターＰＪ２に生じる色味について説明する図である。なお、図４は図１３と同様、部分画像Ｇ１，Ｇ２は重畳されていない状態が示されている。
【００５７】
図４に示すように、部分画像Ｇ１の右側の遮光領域Ｒと部分画像Ｇ２の左側の遮光領域Ｌには、この場合、同じ色味（第１の色味）が現れる。なお、第１の色味は赤系の色（赤味）である。これは、実施形態１に係るマルチプロジェクションシステム１０においては、第１のプロジェクターＰＪ１は通常姿勢で設置され、第２のプロジェクターＰＪ２は天吊姿勢で設置されているからである。
【００５８】
図５は、図４に示した部分画像Ｇ１の遮光領域Ｒと部分画像Ｇ２の遮光領域Ｌとを重畳させることによって重畳領域Ａを形成した状態を示す図である。図５に示すように、部分画像Ｇ１と部分画像Ｇ２との間に形成される重畳領域Ａにおいては、図４に示す部分画像Ｇ１の遮光領域Ｒに現れている赤味と部分画像Ｇ２の遮光領域Ｌに現れている赤味とが重畳されたものとなる。なお、図５においては、重畳領域Ａとそれ以外の領域との境界が明確な線として示されているが、実際には、ぼやけた赤味が重畳領域Ａの全体に現れるような画像となる。
【００５９】
図５に示すよう、重畳領域Ａに現れる色味が同系色の色味（この場合、赤味）となることにより、重畳領域Ａにおける色補正処理を容易に行うことができる。この場合の色補正処理は、例えば、撮像装置１００によって得られた撮像画像データに基づいて、個々のプロジェクター（第１のプロジェクターＰＪ１及び第２のプロジェクターＰＪ２）において通常に行われる色補正と同等の処理によって行うことができる。
【００６０】
［実施形態２］
上記実施形態１に係るマルチプロジェクションシステム１０においては、プロジェクターが２台の場合を例示したが、プロジェクターは３台以上であってもよい。実施形態２に係るマルチプロジェクションシステム２０においては、プロジェクターが３台の場合について説明する。
【００６１】
図６は、実施形態２に係るマルチプロジェクションシステム２０の構成を説明する図である。図６に示すマルチプロジェクションシステムが図１に示すマルチプロジェクションシステムと異なるのは、プロジェクターを３台有している点であり、それ以外は図１と同様であるので、図１と同一構成要素には同一符号を付している。
【００６２】
なお、実施形態２に係るマルチプロジェクションシステム２０は、３台のプロジェクター（第１のプロジェクターＰＪ１、第２のプロジェクターＰＪ２及び第３のプロジェクターＰＪ３）を有している。なお、以下では、第１のプロジェクターＰＪ１、第２のプロジェクターＰＪ２及び第３のプロジェクターＰＪ３を第１〜第３プロジェクターＰＪ１〜ＰＪ３と表記する場合もある。
【００６３】
第１〜第３プロジェクターＰＪ１〜ＰＪ３の設置姿勢は、第１のプロジェクターＰＪ１を通常姿勢とした場合、第２のプロジェクターＰＪ２を天吊姿勢とし、第３のプロジェクターＰＪ３を通常姿勢とする。このように、第１〜第３プロジェクターＰＪ１〜ＰＪ３は、通常姿勢と天吊姿勢とが交互に繰り返されるように設置される。また、第２のプロジェクターＰＪ２には部分画像Ｇ２の右端側の所定領域（重畳領域Ｂに対応する領域）を遮光するための遮光板Ｓ３が設けられ、第３のプロジェクターＰＪ３には部分画像Ｇ３の左端側の所定領域（重畳領域Ｂに対応する領域）を遮光するための遮光板Ｓ４が設けられる。
【００６４】
第１〜第３プロジェクターＰＪ１〜ＰＪ３を図６のように設置し、かつ、遮光板Ｓ１〜Ｓ４を図６のように設けると、第１のプロジェクターＰＪ１から投写される部分画像Ｇ１の右側の遮光領域Ｒ（図示せず）には赤味が現れ、第２のプロジェクターＰＪ２から投写される部分画像Ｇ２の左側の遮光領域Ｌ（図示せず）には同じく赤味が現れる。また、第２のプロジェクターＰＪ２から投写される部分画像Ｇ２の右側の遮光領域Ｒ（図示せず）には第２の色味としての青系の色（青味）が現れ、第３のプロジェクターＰＪ３からの部分画像Ｇ３の左側の遮光領域Ｌ（図示せず）にも同じく青味が現れる。
【００６５】
このため、第１〜第３プロジェクターＰＪ１〜ＰＪ３のうちの第１のプロジェクターＰＪ１と第２のプロジェクターＰＪ２とを一対のプロジェクターとして考えると、部分画像Ｇ１の遮光領域Ｒと部分画像Ｇ２の遮光領域Ｌとを重畳させた重畳領域Ａには、図５と同様に赤味が現れる。また、第１〜第３プロジェクターＰＪ１〜ＰＪ３のうちの第２のプロジェクターＰＪ１と第３のプロジェクターＰＪ３とを一対のプロジェクターとして考えると、部分画像Ｇ２の遮光領域Ｒと部分画像Ｇ３の遮光領域Ｌとを重畳させた重畳領域Ｂには青味が現れる。
【００６６】
図７は、図６に示した部分画像Ｇ１〜Ｇ３をスクリーンＳＣＲ上において重畳領域Ａ，Ｂが形成されるように表示した状態を示す図である。図７に示すように、部分画像Ｇ１と部分画像Ｇ２との間に形成される重畳領域Ａには赤味が現れ、部分画像Ｇ２と部分画像Ｇ３との間に形成される重畳領域Ａには青味が現れる。
【００６７】
このように、重畳領域及び重畳領域Ｂにそれぞれ現れる色味は、重畳領域Ａ及び重畳領域Ｂごとにそれぞれ単一の色味となる。重畳領域Ａ及び重畳領域Ｂにおいて現れる色味が重畳領域ごとに単一な色味となることにより、実施形態１に係るマルチプロジェクションシステム１０と同様、重畳領域Ａ及び重畳領域Ｂにおいて現れる色味を抑制するための色補正を容易なものとすることができる。
【００６８】
［実施形態３］
実施形態１に係るマルチプロジェクションシステム１０及び実施形態２に係るマルチプロジェクションシステム２０においては、重畳領域に現れる色味を抑制するための色補正を画像処理によって行う場合を例示したが、実施形態３に係るマルチプロジェクションシステム３０においては光学フィルタにより行う。
【００６９】
なお、実施形態３に係るマルチプロジェクションシステム３０おいては実施形態１に係るマルチプロジェクションシステム１０と同様にプロジェクターが２台である場合を例にとって説明する。したがって、マルチプロジェクションシステムとしての全体的な構成は、図１と同じであるので、実施形態３に係るマルチプロジェクションシステム３０の構成は図示を省略する。
【００７０】
実施形態３に係るマルチプロジェクションシステム３０においては、遮光板Ｓ１，Ｓ２が光学フィルタの機能を有するものである。すなわち、遮光板Ｓ１，Ｓ２は、この場合、赤色の透過を抑制する特性を有する光学フィルタとする。これにより、重畳領域Ａに赤味が現れるのを抑制することができる。
【００７１】
なお、プロジェクターが３台以上存在する場合にも同様に実施可能である。例えば、実施形態２に係るマルチプロジェクションシステム２０のように、第１〜第３プロジェクターＰＪ１〜ＰＪ３を有する場合においては、遮光板Ｓ１及び遮光板Ｓ２は赤色の透過を抑制する特性を有する光学フィルタとし、遮光板Ｓ３及び遮光板Ｓ４は青色の透過を抑制する特性を有する光学フィルタとする。これにより、重畳領域Ａに赤味が現れることを抑制することができるとともに、重畳領域Ｂに青味が現れることを抑制することができる。
【００７２】
このように、特定の色の透過を抑制する光学フィルタによって特定の色味が現れることを抑制可能としたのは、各重畳領域ごとに現れる色味が単一な色味となるようにしたことによるものである。
【００７３】
本発明は前述の実施形態に限られるものではなく、本発明の要旨を逸脱しない範囲で種々変形実施可能となるものである。たとえば、下記（１）及び（２）に示すような変形実施も可能である。
【００７４】
（１）上記各実施形態においては、複数の部分画像をスクリーン上において水平方向のみに並べる場合について例示したが、これに限られるものではなく、水平方向にｍ個（ｍは２以上の整数）、垂直方向にｎ個（ｎは２以上の整数）の部分画像をマトリクス状に並べて表示する場合においても、水平方向に隣接する部分画像において同様に実施可能である。例えば、水平方向に２個の部分画像、垂直方向にも２個の部分画像を並べて表示するようなマルチプロジェクションシステムを構成する場合には、図１に示すような設置姿勢としたプロジェクターＰＪ１，ＰＪ２を上下方向（垂直方向）に２段設置すればよい。また、水平方向に３個、垂直方向に２個の部分画像を並べて表示するようなマルチプロジェクションシステムを構成する場合には、図６に示すような設置姿勢とした第１〜第３プロジェクターＰＪ１〜ＰＪ３を上下方向（垂直方向）に２段設置すればよい。
【００７５】
（２）上記各実施形態においては、複数のプロジェクターに対して１台の画像処理装置２００で分割画像の生成などを行う場合を例示したが、複数のプロジェクターそれぞれに対応するように画像処理装置を設けるような構成であってもよい。
【符号の説明】
【００７６】
１００・・・撮像装置、２００・・・画像処理装置、Ａ，Ｂ・・・重畳領域、Ｇ１，Ｇ２，Ｇ３・・・部分画像、Ｒ，Ｌ・・・遮光領域、ＰＪ１．ＰＪ２，ＰＪ３・・・プロジェクター、Ｓ１，Ｓ２，Ｓ３・・・遮光板
【図１】
2011217303.tif 000003
【図２】
2011217303.tif 000004
【図３】
2011217303.tif 000005
【図６】
2011217303.tif 000006
【図９】
2011217303.tif 000007
【図１０】
2011217303.tif 000008
【図４】
2011217303.tif 000009
【図５】
2011217303.tif 000010
【図７】
2011217303.tif 000011
【図８】
2011217303.tif 000012
【図１１】
2011217303.tif 000013
【図１２】
2011217303.tif 000014
【図１３】
2011217303.tif 000015
【図１４】
2011217303.tif 000016